(57)【要約】【課題】設備機器の構成を変えた際に画面表示情報の再構築（レイアウト画面エンジニアリング）を行う手間を省ける設備機器管理装置を提供する。【解決手段】設備機器管理装置１は、空調機を構成する複数の室内機２１ａ，…２１ｄ，２２ａ，…２２ｄを空調コントローラ２の通信網７を介して管理する。空調コントローラ２のウエブサーバ１６は、複数のアイコンＩＣ１，…ＩＣ４，ＩＣ５，…ＩＣ８及びフロアレイアウトの平面図ｆ１に関する画面表示情報を記憶している。管理用ＰＣ３に表示するため、空調コントローラ２は、室内機２１ａ，…２１ｄ，２２ａ，…２２ｄが属する区域をそれらの集中アドレスにより特定し、区域に関する情報を画面表示情報に関連付ける。室内機入れ替えの際、再度同じ集中アドレスを割り付けて同一区域に属することを特定するので、レイアウト画面エンジニアリングの手間を省ける。【選択図】図３
2009300060.tif 000002
【特許請求の範囲】
【請求項１】
設備機器を構成する複数の構成機器を通信網（７）を介して管理することにより前記設備機器の運転を管理する設備機器管理装置（１）であって、
表示装置（３）と、
前記複数の構成機器に対応する複数の第１画像及び、前記構成機器の配置場所の状況を表す第２画像に関する画面表示情報を記憶する記憶装置（１７）と、
前記構成機器の前記配置場所を特定する第１識別情報により前記構成機器が属する区域を特定し、前記区域に関する情報を前記画面表示情報に関連付けるために前記表示装置に表示する制御装置（２）と、
を備える設備機器管理装置。
【請求項２】
前記第１識別情報は、前記構成機器の固有アドレスであり、
前記制御装置は、前記構成機器に設定される固有アドレスを前記第１識別情報として取得する、請求項１に記載の設備機器管理装置。
【請求項３】
前記制御装置は、前記構成機器以外の付属機器（２３）の個体及びその属する区域を前記第２識別情報により特定し、前記個体に関する情報及び前記区域に関する情報を前記画面表示情報に関連付けて前記表示装置に表示する、請求項１または請求項２に記載の設備機器管理装置。
【請求項４】
ウエブサーバ（１６）をさらに備え、
前記記憶装置の前記画面表示情報は、前記ウエブサーバにおいて利用できるように変換されて記憶されたものである、請求項１から３のいずれかに記載の設備機器管理装置。
【発明の詳細な説明】
【技術分野】
【０００１】
本発明は、複数の構成機器で構成された設備機器を管理する設備機器管理装置に関し、特に、通信網を介して設備機器の運転を管理する設備機器管理装置に関する。
【背景技術】
【０００２】
従来から、遠隔管理システムとして、複数の設備機器管理装置を中央設備機器管理装置が公衆通信回線を通じて一括して管理するものが知られている。これら設備機器管理装置は、所定物件に配置された空調機などの設備機器の管理を行うものである。その設備機器の管理において、設備機器を構成している種々の構成機器、例えば設備機器である空調機を構成する室外機や室内機などを管理点として通信網を介して管理する。そのために、空調機の空調コントローラと室外機や室内機との間が信号線などで接続されている。
【０００３】
このような設備機器管理装置には、構成機器などの管理点の状態表示を行う表示画面を備えたタイプがある。この管理点の状態表示においては、アイコンなどの色や形状の異なるグラフィック・ユーザ・インタフェース（GUI）により行うと、直感的な操作ができるため操作性が向上する。特に、設備機器のアイコンなどを用い、画面表示する際に、ビルのフロアレイアウトなど設備機器が設置されている場所のレイアウトを背景画像として合わせて表示するとさらに操作性が良くなる（例えば、特許文献１参照）。
【特許文献１】特開２００５−３０８２７８号公報
【発明の開示】
【発明が解決しようとする課題】
【０００４】
しかしながら、背景画像上に設備機器のアイコンなどを表示する場合には、背景画像上におけるアイコンの位置特定の必要性などから、設備機器の構成を変更すると、画面表示を行うための画面表示情報と設備機器管理装置が認識する管理点識別情報との相違により、画面表示情報の再構築が必要となる場合があった。
【０００５】
例えば室内機を入れ替えるときに室内機の管理点識別情報を変更すると、その室内機が属する区域に関する画面表示情報と実際の設備機器の区域との対応関係に齟齬が生じ、画面に表示すべき室内機のアイコンが表示されなくなる。
【０００６】
本発明の課題は、設備機器の構成を変えた際に画面表示情報の再構築を行う手間を省ける設備機器管理装置を提供することにある。
【課題を解決するための手段】
【０００７】
第１発明に係る設備機器管理装置は、設備機器を構成する複数の構成機器を通信網を介して管理することにより設備機器の運転を管理するものである。設備機器管理装置は、表示装置と、記憶装置と、制御装置とを備えている。記憶装置は、複数の構成機器に対応する複数の第１画像及び、構成機器の配置場所の状況を表す第２画像に関する画面表示情報を記憶する。制御装置は、構成機器の配置場所を特定する第１識別情報により構成機器が属する区域を特定し、区域に関する情報を画面表示情報に関連付けて表示装置に表示する。
【０００８】
本発明によれば、構成機器が属する区域の特定を、構成機器の配置場所を特定する第１識別情報によって行っているため、構成機器を入れ替えても配置場所が同じであれば同一区域に属することを特定できる。
【０００９】
第２発明に係る設備管理機器装置は、第１発明の設備機器管理装置であって、第１識別情報は、構成機器の固有アドレスである。制御装置は、構成機器に設定される固有アドレスを第１識別情報として取得する。
【００１０】
本発明によれば、構成機器に通信網の固有アドレスを設定する簡単な操作で、区域に関する情報と画面表示情報との関連付けができる。
【００１１】
第３発明に係る設備機器管理装置は、第１発明から第２発明のいずれかの設備機器管理装置であって、制御装置は、構成機器以外の付属機器の個体及びその属する区域を第２識別情報により特定し、個体に関する情報及び区域に関する情報を画面表示情報に関連付けて表示装置に表示する。
【００１２】
本発明によれば、制御装置により、付属機器の個体に関する情報及び区域に関する情報を画面表示情報に関連付けて表示装置に表示できる
第４発明に係る設備機器管理装置は、第１発明から第３発明のいずれかの設備機器管理装置であって、ウエブサーバをさらに備える。記憶装置の画面表示情報は、ウエブサーバにおいて利用できるように変換されて記憶されたものである。
【００１３】
本発明によれば、画面表示情報がウエブサーバで利用可能に記憶されているため、構成機器の入れ替えを行っても再構築の手間をかけずに、ウエブ機能を使って他の機器の画面に簡単に表示できる。
【発明の効果】
【００１４】
第１発明に係る設備機器管理装置では、画面表示情報の再構築の手間を省くことができる。
【００１５】
第２発明に係る設備機器管理装置では、構成機器を入れ替えた場合の再構築の手間を省くことができる。
【００１６】
第３発明に係る設備機器管理装置では、固有アドレスで管理できない付属機器を第２識別情報で管理することができる。
【００１７】
第４発明に係る設備機器管理装置では、他の機器への表示が簡単であるため管理が行い易くなる。
【発明を実施するための最良の形態】
【００１８】
＜全体構成＞
本発明の一実施形態に係る設備機器管理装置と構成機器の接続の概要を図１に示す。設備機器管理装置１は、空調コントローラ２と管理用パーソナルコンピュータ３とハブ４を備える。以下管理用パーソナルコンピュータを管理用ＰＣという。設備機器管理装置１において、ハブ４を介してイーサネット（登録商標）などのローカルエリアネットワーク（以下ＬＡＮという）により管理用ＰＣ３が接続されている。図１には、設備機器管理装置１が管理点として管理している構成機器のうち、空気調和機の複数の室内機２１ａ，…２１ｄ，２２ａ、…２２ｄ及び全熱交換機能付き換気装置２１ｅ，２２ｅを示している。複数の室内機２１ａ，…２１ｄ及び全熱交換機能付き換気装置２１ｅは信号線７ａで設備機器管理装置１の空調コントローラ２に接続され、複数の室内機２２ａ，…２２ｄ及び全熱交換機能付き換気装置２２ｅは信号線７ｂで空調コントローラ２に接続されている。
【００１９】
空調コントローラ２は表示画面５を備えており、管理用ＰＣ３は表示画面６を備えている。管理用ＰＣ３は、複数の機能の中にレイアウト表示機能を有しており、複数の室内機２１ａ，…２１ｄ，２２ａ，…２２ｄなどや複数の全熱交換機能付き換気装置２１ｅ，２２ｅが配置されている建物のフロアレイアウトを表示画面６に表示することができる。
【００２０】
＜レイアウト画面＞
図２に管理用ＰＣ３のレイアウト表示画面の表示例を示す。例えば、複数の室内機２１ａ，…２１ｄ，２２ａ，…２２ｄなどが建物の２階に配置されているとすると、２階フロアの平面図ｆ１が表示される。さらに、管理用ＰＣ３の表示画面６には、平面図ｆ１の上に重ねて、複数の室内機２１ａ，…２１ｄ，２２ａ，…２２ｄなどのアイコンＩＣ１〜ＩＣ１２が表示される。図１に示す室内機２１ａに対応するアイコンＩＣ１が表示され、室内機２１ｄに対応するアイコンＩＣ４が表示され、室内機２２ａに対応するアイコンＩＣ５が表示され、室内機２２ｄに対応するアイコンＩＣ８が表示される。他のアイコンに対応する室内機、例えばアイコンＩＣ２に対応する室内機も信号線７ａにより空調コントローラ２に接続されているが、図１においては複数の室内機２１ａ，…２１ｄ，２２ａ，…２２ｄ以外の８台の室内機などの図示を省略している。
【００２１】
アイコンＩＣ１〜ＩＣ１２を表示するためには、表示画面６上における平面図ｆ１の配置位置とアイコンＩＣ１〜ＩＣ１２の配置位置の関係が特定されなければならない。図1に示す平面図ｆ１の矩形の２階フロア全体の基準点を仮に、４隅のうちアイコンＩＣ１１で示される室内機に最も近い隅ｆ４であるとする。アイコンＩＣ１を図１の表示どおりの位置に映し出すためには、この隅ｆ４のＸ座標・Ｙ座標（ｘ１，ｙ１）とともに、アイコンＩＣ１のＸ座標・Ｙ座標（ｘ２，ｙ２）が必要になる。これらの情報があれば、平面図ｆ１にアイコンＩＣ１を重ねるための位置情報（ｘ２−ｘ１、ｙ２−ｙ１）が得られる。
【００２２】
以上の説明したようにアイコン位置が特定されれば表示画面６上にアイコンを表示させることはできる。しかし、２階フロアの平面図ｆ１の上に重ねたアイコンによって室内機の監視・操作を行うためには、レイアウト画面用の区域に関する情報が必要になる。２階フロアには、２０１号室ｆ２と、２０２号室ｆ３と、２０３号室ｆ４と、エレベータホールの廊下ｆ５などがある。そのため、アイコンＩＣ１〜ＩＣ１２に対応する室内機がどの区域に属するかは設備機器管理装置１に情報を与えないと特定できない。例えば表示画面６に表示されるアイコンＩＣ１〜ＩＣ１２に、対応する室内機の情報を表示させるためには、アイコンの表示と室内機の制御とを関連付ける必要がある。室内機２１ａの設定温度が２７℃であったとしても、アイコンＩＣ１との関連付けがなされなければ、選ばれた区域を含む表示画面６において、図２に示すように設定温度に関する情報をアイコンＩＣ１とともに表示することはできない。アイコンと室内機の対応を関連付けるためには、集中アドレスが用いられる。空調コントローラ２において、室内機２１ａの集中アドレス（室内機２１ａの固有アドレス）を入力して、集中アドレスをアイコンＩＣ１と関連付ける。それにより、例えばこの集中アドレスを持つ室内機２１ａが２７℃に設定されれば、アイコンＩＣ１とともに設定温度を表示することが可能になる。このように集中アドレスを割り当てるのは、空調機を中心とした設備機器の監視・操作を行うためである。集中アドレスについては後ほど説明する。
【００２３】
また、ゾーンごとの管理を行うため、ゾーン識別情報（以下ゾーンＩＤという）が割り当てられる。ゾーンＩＤは集中アドレスで割り当てる区域とは別の概念であって、ゾーンＩＤを割り当てるのは、任意の空調機を複数まとめて監視・操作を行うためである。アイコンＩＣ１〜ＩＣ１２に対応する室内機に、２階フロアのゾーンを示すゾーンＩＤを割り付ければ、２階フロアの室内機を一括して管理することができる。当然、２階フロアの全室内機をレイアウト表示することもできる。例えば、２０１号室ｆ1の４台の室内機と２０２号室ｆ２の４台の室内機が別々の室外機に接続されているものであっても、同時に監視することができる。逆に、２０１号室ｆ２と２０２号室ｆ２の室内機に異なるゾーンＩＤを割り付ければ、別々に監視・操作することが可能になる。
【００２４】
その他に、平面図名称などレイアウト画面のエンジニアリングに必要な情報を設備機器管理装置１にインポートすることが必要であるが、先に説明した集中アドレスやゾーンＩＤ及びアイコン位置に関する情報以外は本実施形態に取って重要ではないため説明を省略する。
【００２５】
以上説明したように、平面図の描写やアイコンの形態やアイコン位置などの画像情報と集中アドレスとゾーンＩＤなどの関連付けは、レイアウト画面エンジニアリングによって行われる。
【００２６】
＜設備機器管理装置の構成＞
図３は、図１に示した設備機器管理装置１の構成を説明するためのブロック図である。図３に示すように、設備機器管理装置１の空調コントローラ２は、表示部１１、制御部１２、操作部１３、記憶部１４、構成機器用通信部１５、及びウエブサーバ１６を備えている。これらのうち、表示部１１、制御部１２、操作部１３、記憶部１４及び構成機器用通信部１５は制御装置本体２ａを構成する。また、ウエブサーバ１６は記憶装置１７を有する。図１に示した表示画面５は表示部１１の一部である。表示部１１の表示画面５に表示する画像情報は、制御部１２から表示部１１に出力される。制御部１２は、要求に基づき或いは設定に基づき、表示部１１に対して、制御情報や状態情報を出力する。制御情報は構成機器の制御に必要な情報であって、制御情報には、例えば、運転指令や停止指令、及び構成機器の種々の設定値が含まれる。状態情報は構成機器のおかれている環境や構成機器の状態に関する情報であって、状態情報には、例えば、構成機器のセンサーなどで測定される室温や構成機器の異常を知らせる信号が含まれる。
【００２７】
表示画面５は、透明タッチパネルになっており、操作部１３としても機能する。操作部１３としての表示画面５から制御部１２に対して、タッチパネルで入力された情報が出力される。先に説明した集中アドレスは操作部１３から入力することが可能になっている。
【００２８】
記憶部１４は、制御部１２から入力された情報を記憶するとともに、記憶している情報を制御部１２からの要求に応じて制御部１２に対して出力する。例えば、制御装置本体２ａの記憶部１４は、集中アドレスに関する情報やゾーンＩＤに関する情報を記憶している。また、記憶部１４は、制御情報や状態情報の記憶にも用いられる。
【００２９】
構成機器用通信部１５は、構成機器である室内機２１ａや全熱交換機能付き換気装置２１ｅから信号線７ａを介して室温や運転状況などの状態情報を入力する。その状態情報は構成機器用通信部１５から制御部１２に対して出力される。一方、制御部１２から構成機器用通信部１５に出力された制御情報は、構成機器用通信部１５から、構成機器である室内機２１ａや全熱交換機能付き換気装置２１ｅに対して出力される。このように、室内機２１ａや全熱交換機能付き換気装置２１ｅなどの構成機器と設備機器管理装置１とは、信号線７ａ，７ｂ…などによって通信網７を形成している。通信において、空調コントローラ２が構成機器を特定するのは、集中アドレスによって行われる。
【００３０】
ウエブサーバ１６は、エンジニアリングされて定まっている画像情報を含むウエブアプレットを保有している。一方、ウエブサーバ１６は、集中アドレスやゾーンＩＤに関する情報を制御部１２から読み込む。それにより、制御情報や状態情報と画像情報との関連付けを行う。ウエブサーバ１６は、平面図ｆ１やアイコンＩＣ１〜１２などの画像情報を用いて表示を行うため画像情報とともに制御情報や状態情報を、ハブ４を介して管理用ＰＣ３に出力する。
【００３１】
＜管理用ＰＣ＞
図３に示すように、管理用ＰＣ３は表示装置３１とウエブブラウザ３２とを備えている。図１に示した表示画面６は表示装置３１の一部である。ウエブブラウザ３２は、ウエブサーバ１６から送信されたウエブページを閲覧するためのアプリケーションソフトである。ウエブブラウザ３２は、ＬＡＮを介してウエブサーバ１６の画像情報などをダウンロードし、レイアウトを解析して表示装置３１により表示画面６に表示・再生する。それにより、図２に示したような表示画面６のレイアウト画面表示が可能になる。逆に、ウエブブラウザ３２を用いてデータをウエブサーバ１６に送信することも可能である。例えば、管理用ＰＣ３は、アイコンＩＣ１〜ＩＣ１２を使って入力することが可能になっており、アイコンＩＣ１〜ＩＣ１２のいずれかにカーソルを合わせてクリックするとクリックされたアイコンが選択される。
【００３２】
ここでは、管理用ＰＣ３への画面の表示について説明したが、ウエブ機能を用いることにより、管理用ＰＣ３以外の機器への表示もウエブブラウザを設けるだけでＬＡＮを介して簡単に行える。
【００３３】
＜集中アドレス＞
集中アドレスは、通信網に接続されている室内機に対応して空調コントローラ２が固有に割り振ることのできる固有アドレスである。したがって、通信網に接続されていない構成機器には割り振ることができない。なお、この通信網はウエブサーバ１６とウエブブラウザ３２とを接続するＬＡＮではなく、構成機器用通信部１５に接続される信号線７ａ，７ｂなどのよって構築される通信網である。集中アドレスは、空調コントローラ２を用いて設定する。信号線７ａ，７ｂ，…に接続されている室内機ごとに集中アドレスを操作部１３から入力する。入力した集中アドレスは、制御部１２によって記憶部１４に記憶される。図１に示すように、室内機に集中アドレスＡ２１，Ａ２４、Ａ２６，Ａ２９などを割り付ける。例えば、室内機２１ａは集中アドレスＡ２１に対応し、集中アドレスＡ２１により室内機２１ａの配置場所を特定することができる。集中アドレスによってグループ化して特定することもできる。例えば、室内機２１ａ，…２１ｄを同一の区域に所属するものとして集中アドレスにより特定し、一括して同じ操作を行う対象とすることができる。なお、図１に示されていない室内機の集中アドレスは記載を省略している。
【００３４】
一方、ウエブサーバ１６には、集中アドレスＡ２１を持つ室内機が、２０１号室の廊下側でかつ２０２号室から遠い方の室内機配置場所にあること及びアイコンＩＣ１に対応することなどが関連付けされて記憶されている。
【００３５】
＜設備機器の更新＞
次に、設備機器を更新する場合について説明する。従来は、管理点識別情報（以下管理点ＩＤという）とゾーンＩＤを用いてレイアウト画面表示を行っていた。管理点ＩＤは、管理上複数のグループに別けられた構成機器が所属するグループを示すデータである。管理点ＩＤは通信網とは無関係に割り振ることができるが、新たに管理点ＩＤを付するときには、管理上の問題から前につけていたものと同じ管理点ＩＤを用いることはできない。
【００３６】
例えば、従来のように管理点ＩＤを用いていると、室内機２１ａが故障のため取替えが必要になった場合には、取替え前に用いていた管理点ＩＤ「０２０」を、取替え後には取替え時点で未使用の管理点ＩＤ「０５０」に変更される。従来は、制御装置本体２ａの記憶部１４においては新たに取り付けられた室内機の管理点ＩＤが「０５０」に変わっているのに、ウエブサーバ１６の記憶装置１７に記憶されているのは管理点ＩＤ「０２０」のままであるため、空調コントローラ２とウエブサーバ１６の管理点ＩＤが一致しなくなる。そのため、図４に示すように、表示画面６のアイコンＩＣ１に対応するところの情報が欠落することになる。
【００３７】
一方、上記実施形態のように、集中アドレスを用いると、室内機２１ａが故障して取替えが必要なときには、新しい室内機に対して集中アドレス「Ａ２１」を設定することができる。制御装置本体２ａの記憶部１４に記憶しているのは、集中アドレス「Ａ２１」である。そのため、ウエブサーバ１６の記憶装置１７と制御装置本体２ａの記憶部１４に記憶している集中アドレスが一致する。したがって、従来のように画像情報の欠落は生じない。
【００３８】
＜集中アドレスで管理できない構成機器＞
以上のように室内機２１ａ，…２１ｄや全熱交換機能付き換気装置２１ｅ，２２ｅなどの空調コントローラの通信網に接続された機器は集中アドレスで管理することができる。しかし、この通信網に対応していない機器は集中アドレスで管理できない。例えば電流計や電力計などの各種測定装置や電灯、シーケンサなどが挙げられる。その様な時には、管理点ＩＤを割り振ることができる。この場合、この機器を交換すると、新たにレイアウト画面エンジニアリングが必要になる。このように、集中アドレスと管理点ＩＤを併用して管理することも可能である。
【００３９】
また、この通信網に対応したユニットにつなげ、ユニットを通じて、間接的に集中アドレスで管理することも可能である。
【００４０】
この集中アドレスと管理点IDの併用による監視について説明するため、設備機器管理装置と構成機器との他の接続例を図５に示す。図５において、図１と同一符号のものは図１の構成と同様のものである。また図５において、一点鎖線で囲まれた範囲に属するものが、集中アドレスで管理可能な通信網の範囲を示している。
【００４１】
図５に示す設備機器管理装置１は、室内機２１ａ，…２１ｄや全熱交換機能付き換気装置２１ｅ，２２ｅに加えて、電灯２２ｇや電力計２３を備え、これら電灯２２ｇや電力計２３が空調コントローラ２で管理されている。空調コントローラ２は、電力計２３に接続するためのポートを備えている。このポートは図３に示した構成機器用通信部１５に設けられ、制御部１２の制御の下に置かれている。また、図５の全熱交換機能付き換気装置２１ｅ，２２ｅには、集中アドレスA２５，Ａ３０が割り振られている。電灯２２ｇに集中アドレスを直接割り振ることができないため、電灯２２ｇはユニット２２ｆを介して信号線７ｂに接続されている。そのため、全熱交換機能付き換気装置２１ｅ，２２ｅや電灯２２ｇは、上述の室内機２１ａ，…２１ｄと同様にレイアウト表示機能によりアイコンでフロアレイアウトとともに画面上に表示をすることもできるし、表示の必要がなければ画面表示を行わないという構成も可能である。一方、電力計２３には管理点ＩＤが割り振られ、電力計２３は管理点ＩＤで管理される。レイアウト画面エンジニアリングにおいて電力計２３とアイコンとの関連付けを行っておけば、レイアウト画面表示機能によりフロアレイアウト上に電力計のアイコンを表示させることも可能である。ただし、電力計２３が故障するなどして交換する場合には、再度レイアウト画面エンジニアリングが必要になる。
【００４２】
＜実施形態の特徴＞
（Ａ）
設備機器管理装置１は、空調機を構成する複数の室内機２１ａ，…２１ｄ，２２ａ，…２２ｄを空調コントローラ２の通信網７を介して管理することにより空調機の運転を管理する。空調コントローラ２のウエブサーバ１６は、複数の室内機２１ａ，…２１ｄ，２２ａ，…２２ｄに対応する複数のアイコンＩＣ１，ＩＣ４，ＩＣ５，ＩＣ８…及びフロアレイアウトの平面図ｆ１に関する画面表示情報を記憶している。空調コントローラ２は、室内機２１ａ，…２１ｄ，２２ａ，…２２ｄの集中アドレスにより室内機２１ａ，…２１ｄ，２２ａ，…２２ｄが属する区域を特定し、区域に関する情報を画面表示情報に関連付けて管理用ＰＣ３に表示する。
【００４３】
室内機２１ａ，…２１ｄ，２２ａ，…２２ｄが属する区域の特定を集中アドレスによって行っているため、室内機２１ａ，…２１ｄ，２２ａ，…２２ｄを入れ替えても再度同じ集中アドレスを割り付けて同一区域に属することを特定できる。それにより、室内機入れ替えの際のレイアウト画面エンジニアリングの手間を省くことができる。
【００４４】
（Ｂ）
空調コントローラ２は、室内機２１ａ，…２１ｄ，２２ａ，…２２ｄに通信網７の集中アドレス、つまり室内機２１ａ，…２１ｄ，２２ａ，…２２ｄの固有アドレスを設定する簡単な操作で、区域に関する情報と画面表示情報との関連付けができる。
【００４５】
（Ｃ）
空調コントローラ２は、室内機２１ａ，…２１ｄ，２２ａ，…２２ｄ以外の電力計２３の属する区域を管理点ＩＤにより特定する。それにより、空調コントローラ２により、電力計２３に関する情報及び区域に関する情報を画面表示情報に関連付けて管理用ＰＣ３に表示できる。
【００４６】
（Ｄ）
記憶装置１７の画面表示情報は、ウエブサーバ１６にインポートされたものである。画面表示情報がウエブサーバ１６で利用可能に記憶されているため、室内機２１ａ，…２１ｄ，２２ａ，…２２ｄの入れ替えを行っても再構築の手間をかけずに、ウエブ機能を使って他の機器の画面に簡単に表示できる。
【００４７】
＜変形例＞
上記実施形態では、レイアウト画面用のゾーンを、空調コントローラ２のゾーンＩＤと共通にしていたが、空調コントローラ２の制御部１２が取り扱うゾーン情報と、ウエブサーバ１６がレイアウト画面表示のために取り扱うゾーン情報とを別々のものとしてもよい。つまり、ウエブサーバ１６は制御部１２を介して制御装置本体２ａの記憶部１４のゾーンＩＤを読み込みに行かない。そのように構成すると、操作部１３によって空調コントローラ２に設定したゾーンＩＤは、ウエブサーバ１６のウエブアプレット上のレイアウト機能には影響を与えない。ただし、この場合、空調コントローラ２のゾーンとレイアウト画面の操作管理点が一致しなくなる。
【００４８】
また、ゾーン情報の特定のために、あらたにレイアウト識別情報（以下レイアウトＩＤという）を設けてもよい。操作部１３から入力したレイアウトＩＤは、制御部１２を介してウエブサーバ１６に入力される。それにより、ウエブサーバ１６のレイアウト画面エンジニアリングのウエブアプレットのレイアウトＩＤが書き換えられる。レイアウトＩＤを空調コントローラ２の操作部１３から入力できるようにすることにより、ゾーンの編集とレイアウト画面用のゾーンの編集が行える。
【図面の簡単な説明】
【００４９】
【図１】本発明の一実施形態に係る設備機器管理装置と構成機器の接続の概要を示す図。
【図２】管理用ＰＣの画面表示の一例を示す平面図。
【図３】本発明の一実施形態に係る設備機器管理装置の構成を示すブロック図。
【図４】従来の管理用ＰＣの画面表示の一例を示す平面図。
【図５】本発明の一実施形態に係る設備機器管理装置と構成機器の他の接続例を示す図。
【符号の説明】
【００５０】
１  設備機器管理装置
２  空調コントローラ
２ａ  制御装置本体
３  管理用パーソナルコンピュータ（表示装置）
７  通信網
１６  ウエブサーバ
１７  記憶装置
【図１】
2009300060.tif 000003
【図２】
2009300060.tif 000004
【図３】
2009300060.tif 000005
【図４】
2009300060.tif 000006
【図５】
2009300060.tif 000007